(57)【特許請求の範囲】
【請求項１】
一方向に長い２本のアーム部材と、２つの取付部材とを含んで構成され、
前記２本のアーム部材の各々の一端が連結ピンで軸支して連結され、
前記２本のアーム部材の各々の前記一端の反対側に位置する各他端に、２つの前記取付部材がそれぞれ連結ピンで軸支して連結された開閉用のステーにおいて、
３本の前記連結ピンのうち、前記一方のアーム部材の一端と、前記別のもう一方のアーム部材の一端とを連結する１本は、前記一方のアーム部材の一端に、回転可能に取り付けた基端部と、前記基端部から突出して先端部側に位置する大径部および前記基端部側に位置する小径部によって構成された頭部とを備えた挿抜ピンであり、
前記別のもう一方のアーム部材には、前記挿抜ピンを挿抜可能な挿通孔が穿孔されて前記挿通孔に前記挿抜ピンを挿入してあり、
前記一方のアーム部材と前記別のもう一方のアーム部材とは、前記挿抜ピンを前記挿入孔に挿入することによって、前記一方のアーム部材に対して前記別のもう一方のアーム部材を回転可能に軸支し、且つ前記一方のアーム部材の対向端面と前記別のもう一方のアーム部材の対向端面とが互いに当接したときは回転を規制し、
前記別のもう一方のアーム部材には、シャフトを中心に旋回可能なストッパを前記一方のアーム部材と該ストッパとで前記別のもう一方のアーム部材を挟むように設けてあり、
前記ストッパは、前記挿抜ピンの前記大径部が通過可能な第１透孔と、前記第１透孔に連接し開孔径が前記大径部より小さく前記挿抜ピンの前記小径部より大きい第２透孔とを備え、
前記挿抜ピンには、前記小径部が前記第２透孔に位置するときは、前記挿抜ピンが前記ストッパに係止する一方、前記小径部が前記第１透孔に位置するときは、前記挿抜ピンに対する前記ストッパの係止を解除する係止部を形成してあり、
前記別のもう一方のアーム部材と前記ストッパとの間には、前記小径部が前記第１透孔から前記第２透孔に向かう方向に付勢する捩りコイルバネを設けてあり、
前記別のもう一方のアーム部材の側方から突出し、前記捩りコイルバネの付勢力に抗して前記小径部を前記第２透孔から前記第１透孔に向かう方向に移動させる場合に操作する押圧部を前記ストッパに形成してあることを特徴とする前記ステー。
【請求項２】
前記第２透孔の開孔縁が前記挿抜可能な前記挿抜ピンの前記小径部に接触しないように、前記ストッパの位置を規制する突起を備える請求項１に記載のステー。
【発明の詳細な説明】
【技術分野】
【０００１】
この発明は、連結ピンによる連結を解除可能な開閉用ステー（以下ステー）に関する。
【背景技術】
【０００２】
ステーは、複数のアーム部材が連結ピンで連結されたリンク機構となっており、扉や蓋等の可動体を開放し所定の角度に保持しておくために、可動体と開口枠等の固定体との間に介在させて用いられている。しかし、可動体を開放する目的によっては、可動体を所定の角度以上に開放したり、可動体を固定体から完全に取り外したりする必要が生じる場合がある。
【０００３】
特許文献１には、固定枠体に固着され、左右方向に長いガイドスロットを形成した固定ベース板と、ガイドスロットに移動可能に挿入された支点ピンを介して基端部が固定ベース板に連結されたアーム板と、アーム板の先端部に垂直ピンによって枢着され、扉に固着されるブラケット板と、扉の垂直枢軸に近い方の固定ベース板の末端部分に固着された左右方向に長い板バネとからなり、支点ピンの頭部が係脱する第一係止凹部と第二係止凹部を板バネに形成した二段階停止型ステー装置が開示されている。
【特許文献１】特開２０００−８０８４５号公報（請求項１、図９）
【発明の開示】
【発明が解決しようとする課題】
【０００４】
特許文献１のステーは、可動体を開放したときの角度を段階的に変えることができる。しかし、可動体を予め設定された角度以上に開放する場合や、可動体（扉）を固定体（固定枠体）から完全に取り外す場合は、ブラケット板または固定ベース板を扉または固定枠体から取り外す操作が必要である。
【０００５】
以上に鑑み、本発明は、可動体を所定の角度以上に開放したり、固定体から完全に取り外したりする操作を容易に行なえるよう、連結ピンによる連結を容易に解除可能なステーを提供することを目的とする。
【課題を解決するための手段】
【０００６】
本発明は、一方向に長い２本のアーム部材と、２つの取付部材とを含んで構成され、２本のアーム部材の各々の一端が連結ピンで軸支して連結され、２本のアーム部材の各々の一端の反対側に位置する各他端に、２つの取付部材がそれぞれ連結ピンで軸支して連結された開閉用のステーにおいて、３本の連結ピンのうち、一方のアーム部材の一端と、別のもう一方のアーム部材の一端とを連結する１本は、一方のアーム部材の一端に、回転可能に取り付けた基端部と、基端部から突出して先端部側に位置する大径部および基端部側に位置する小径部によって構成された頭部とを備えた挿抜ピンであり、別のもう一方のアーム部材には、挿抜ピンを挿抜可能な挿通孔が穿孔されて挿通孔に挿抜ピンを挿入してあり、一方のアーム部材と別のもう一方のアーム部材とは、挿抜ピンを挿入孔に挿入することによって、一方のアーム部材に対して別のもう一方のアーム部材を回転可能に軸支し、且つ一方のアーム部材の対向端面と別のもう一方のアーム部材の対向端面とが互いに当接したときは回転を規制し、別のもう一方のアーム部材には、シャフトを中心に旋回可能なストッパを一方のアーム部材と該ストッパとで別のもう一方のアーム部材を挟むように設けてあり、ストッパは、挿抜ピンの大径部が通過可能な第１透孔と、第１透孔に連接し開孔径が大径部より小さく挿抜ピンの小径部より大きい第２透孔とを備え、挿抜ピンには、小径部が第２透孔に位置するときは、挿抜ピンがストッパに係止する一方、小径部が第１透孔に位置するときは、挿抜ピンに対するストッパの係止を解除する係止部を形成してあり、別のもう一方のアーム部材とストッパとの間には、小径部が第１透孔から第２透孔に向かう方向に付勢する捩りコイルバネを設けてあり、別のもう一方のアーム部材の側方から突出し、捩りコイルバネの付勢力に抗して小径部を第２透孔から第１透孔に向かう方向に移動させる場合に操作する押圧部をストッパに形成してあることを特徴とする。
【０００９】
別の実施態様では、第２透孔の開孔縁が挿抜可能な挿抜ピンの小径部に接触しないように、ストッパの位置を規制する突起を備えることが好ましい。
【発明の効果】
【００１０】
本発明のステーは、３本の連結ピンの少なくともいずれか１本が挿抜可能に構成され、この挿抜可能な連結ピンに対し係脱可能にバネ付勢されたストッパを備える。従って、通常はバネ付勢されたストッパで連結ピンが係止された状態で用い、ストッパをバネ付勢に抗して移動させて連結ピンを脱出させれば、連結ピンによる連結を容易に開放することができる。連結ピンに大径部と小径部とを設ける構成にすれば、より確実に連結ピンを係止することができるので好ましい。
【００１１】
また、連結ピンに大径部と小径部とを設けるとともに、ストッパに大径部が通過可能な第１透孔と、開孔径が大径部より小さく小径部より大きい第２透孔とを設け、連結ピンを係止したとき第２透孔内に小径部が位置する構成にすれば、連結ピンに荷重が加えられたときに、連結ピンが誤って軸方向に移動して連結が解除されてしまうことが防止されるので好ましい。
【発明を実施するための最良の形態】
【００１２】
添付の図面を参照して、本発明に係るステー１について説明する。図１はステーの斜視図、図２はステーの平面図、図３は図２のＩＩＩ−ＩＩＩ断面図である。
図１に示すように、ステー１は一方向に長い２本のアーム部材２，２と、２つの取付部材３，３とを含んで構成され、２本のアーム部材２，２の各々の一端が、挿抜可能な連結ピン８（以下、挿抜ピン８ａと呼んで区別する）で軸支して連結されている。また、各アーム部材２，２の一端の反対側に位置する各他端には、取付部材３，３がそれぞれ挿抜不能な連結ピン８で軸支して連結されている。
【００１３】
取付部材３，３の一方は開孔枠２０等の固定体に取り付けられ、他方は固定体にヒンジ結合された蓋等の可動体(図示せず)に取り付けられる。蓋等を開けたとき、ステー１は、２本のアーム部材２，２の各々の対向端面２１，２１が当接し所定位置を越えた回転が規制されることで、蓋等を開孔枠２０に対し所定の角度に保持する。一方、蓋等を閉じたとき、ステー１は図１に仮想線で１０１を付して示すように折畳まれる。
【００１４】
挿抜ピン８ａは、２本のアーム部材２のいずれか一方（図１では上側のアーム部材２）に立設されている。２本のアーム部材２のいずれか他方（図１では下側のアーム部材２）には、挿抜ピン８ａが挿抜可能に挿通される挿通孔９が穿孔されており、さらに、挿通孔９から突出する挿抜ピン８ａの頭部１３に向け係脱可能にバネ付勢されたストッパ４が設けられている。以下の説明では、挿抜ピン８ａが立設されたアーム部材２をアーム部材２ａ、ストッパ４が取り付けられたアーム部材２をアーム部材２ｂと呼ぶことがある。ストッパ４をバネ付勢に抗して移動させ挿抜ピン８ａに対する係止を解き、挿抜ピン８ａを挿通孔９から脱出させることにより、図１に仮想線で１１１を付して示すように、２本のアーム部材２ａ，２ｂの連結を開放することができる。
【００１５】
以下、ステー１の各部の詳細を説明する。
図２に示すように、ストッパ４は、挿抜ピン８ａが通過可能な開孔径を有する第１透孔５と、第１透孔５に連接し開孔径が第１透孔５より小さい第２透孔６とを備えるとともに、シャフト１７に軸支され、アーム部材２ｂに対し回転可能に取り付けられている。
また、ストッパ４は、捩りコイルバネ７により、第１透孔５から第２透孔６に向かう方向にバネ付勢されている（図２では、反時計回り方向）。なお、ストッパ４は、ストッパ４をバネ付勢に抗して回転移動させるための押圧部１０と、バネ付勢下での位置を規制するための突起１４を備えることが好ましい。
【００１６】
挿抜ピン８ａは、ストッパ４が取り付けられたアーム部材２ｂとは別のアーム部材２ａに取り付けられており、図３に示すように、アーム部材２ａの延在方向に対し直交する方向に立設されている。なお、図３では、挿抜ピン８ａは切断せずに外形で表している。
挿抜ピン８ａは、アーム部材２ａに取り付けられる基端部１１と、挿抜ピン８ａの軸方向において基端部１１と反対側に位置する頭部１３とを有する。本実施形態では、挿抜ピン８ａの基端部１１は、アーム部材２ａに挿抜不能かつ回転可能に取り付けられている。なお、挿抜ピン８ａは、アーム部材２ａに溶接等で固着してもよく、あるいは挿抜可能に取り付けることもできる。
【００１７】
挿抜ピン８ａは、ストッパ４が取り付けられたアーム部材２ｂに穿孔された円形の挿通孔９を貫通し、その頭部１３が挿通孔９から突出する。挿抜ピン８ａの頭部１３には、大径部１５と、大径部１５より径が小さく、且つ大径部１５に隣接して基端部１１寄りに位置する小径部１６とが形成されている。この大径部１５と小径部１６が、特許請求の範囲にいう係止部を構成する。前述のストッパ４の第１透孔５は、挿抜ピン８ａの大径部１５が通過可能に形成され、また、第２透孔６は、開孔径が大径部１５より小さく小径部１６より大きなほぼ円形に形成されている。なお、アーム部材２ａ，２ｂの間には挿抜ピン８ａが挿通されるワッシャ１２を介在させることができる。
【００１８】
前述のように、ストッパ４は第１透孔５から第２透孔６に向かう方向にバネ付勢されているため、図２、図３に示すようにバネ付勢下では挿抜ピン８ａの小径部１６はストッパ４の第２透孔６内に位置して係止されている。この状態から、図２に矢印Ｘで示す方向に、ストッパ４の押圧部１０をバネ付勢に抗して押してストッパ４を回転移動させると、仮想線で示すように、挿抜ピン８ａは第１透孔５内に位置する。第１透孔５は挿抜ピン８ａの大径部１５が通過可能な開孔径を有するので、アーム部材２ａをその厚さ方向に押して挿抜ピン８ａを挿通孔９から脱出させれば、２本のアーム部材２ａ，２ｂの連結を容易に開放することができる。
【００１９】
また、ストッパ４に突起１４を設け、ストッパ４がバネ付勢されているとき第２透孔６の開孔縁が挿抜ピン８ａの小径部１６に接触しないよう、すなわち第２透孔６の中心と小径部１６の中心がほぼ一致するようにストッパ４の位置を規制する構成にすることが好ましい（図２参照）。これにより、挿抜ピン８ａの小径部１６の磨耗が防止される。
【００２０】
以上、実施形態に基づき説明したが、本発明に係るステー１はこれに限定されず、種々変更して実施することができる。
例えばストッパ４が取り付けられたアーム部材２に形成される挿通孔９の形状を、円形ではなくアーム部材２に形成された切込みとし、バネ付勢されたストッパ４でこの切込みの開放部を閉鎖・開放することによって、挿抜ピン８ａを係止する構成にすることもできる。この構成は、アーム部材２の曲げ剛性が高いために挿抜ピン８ａを挿通孔９から脱出させることが難しい場合に適している。
実施形態のように挿通孔９の形状を円形にすれば、ステー１に荷重が加わったときに、挿抜ピン８ａが挿通孔９の中でズレ動いたり、挿通孔９から抜け出したりすることを確実に防止できる。
あるいは、挿抜ピン８ａを取付部材３に立設し、この取付部材３に連結されるアーム部材２にストッパ４を設ける構成にすることもできる。
【図面の簡単な説明】
【００２１】
【図１】ステーの斜視図。
【図２】ステーの平面図
【図３】図２のＩＩＩ−ＩＩＩ断面図
【符号の説明】
【００２２】
１    ステー
２    アーム部材
３    取付部材
４    ストッパ
５    第１透孔
６    第２透孔
８    連結ピン
９    挿通孔
１３  頭部
１４  突起
１５  大径部
１６  小径部
【図１】
0004845896.tif 000002
【図２】
0004845896.tif 000003
【図３】
0004845896.tif 000004